(57)【特許請求の範囲】
【請求項１】
フィルター機能を有する包材シートにより構成された袋体と、前記袋体の両側面にそれぞれ被さって一部固着された一対の左右対称形のホルダーとを有し、前記袋体を開封すると共に前記ホルダーの一対の係止片を引き起こして使用するタイプの抽出用バッグにおいて、
前記ホルダーは、左右に分離されて分離縁が対向した一対の係止片と、前記係止片と前記分離縁側で連続して支持し、前記袋体の上側に固着された上側支持部と、前記係止片と前記分離縁側で連続して支持し、前記袋体の下側で固着された下側支持部を備え、
前記一対の係止片の左右の分離縁の下側は「ハ」の字状に傾斜した傾斜部分になっており、
前記一対の係止片が引き起こされると、それぞれの分離縁が前記袋体に対向することを特徴とする抽出用バッグ。
【請求項２】
請求項１に記載した抽出用バッグにおいて、
下側支持部が係止片側に延出して「ハ」の字状部分を埋めていることを特徴とする抽出用バッグ。
【請求項３】
フィルター機能を有する包材シートにより構成された袋体と、前記袋体の両側面にそれぞれ被さって一部固着された一対の左右対称形のホルダーとを有し、前記袋体を開封すると共に前記ホルダーの一対の係止片を引き起こして使用するタイプの抽出用バッグにおいて、
前記ホルダーは、左右に分離されて分離縁が対向した一対の係止片と、前記係止片と前記分離縁側で連続して支持し、前記袋体の上側に固着された上側支持部と、前記係止片と前記分離縁側で連続して支持し、前記袋体の下側で固着された下側支持部を備え、
前記上側支持部にも、上下方向途中まで、左右の分離縁が前記係止片の左右の分離縁と連続して形成されており、
前記一対の係止片が引き起こされると、それぞれの分離縁が前記袋体に対向することを特徴とする抽出用バッグ。
【請求項４】
フィルター機能を有する包材シートにより構成された袋体と、前記袋体の両側面にそれぞれ被さって一部固着された一対の左右対称形のホルダーとを有し、前記袋体を開封すると共に前記ホルダーの一対の係止片を引き起こして使用するタイプの抽出用バッグにおいて、
前記ホルダーは、左右に分離されて分離縁が対向した一対の係止片と、前記係止片と前記分離縁側で連続して支持し、前記袋体の上側に固着された上側支持部と、前記係止片と前記分離縁側で連続して支持し、前記袋体の下側で固着された下側支持部を備え、
前記ホルダーの前記上側支持部には切込みにより前記上縁部側を連続部分とする引き起こしタイプのフラップが形成されており、
前記一対の係止片が引き起こされると、それぞれの分離縁が前記袋体に対向することを特徴とする抽出用バッグ。
【発明の詳細な説明】
【技術分野】
【０００１】
本発明は、コーヒー粉等の抽出に用いる抽出用バッグに係り、詳しくは、濾紙や不織布等からなるフィルター機能を有する包材シートで構成された袋体と、その袋体を支持するホルダーを備え、使用時にはそのホルダーをカップの開口縁に係止させ、抽出したものをカップ内に滴下するタイプの抽出用バッグに関するものである。
【背景技術】
【０００２】
コーヒー粉の抽出に用いる抽出用バッグでは、袋体はフィルター材を素材とし、その縁部がシールされて製袋化されたものであり、その袋体の中にカップ一杯相当分のコーヒー粉が充填されている。そして、ホルダーは、厚紙等を素材とし、打ち抜きや切込みにより形成されている。サイドフックタイプの場合には、このホルダーが上記した袋体の両側面に被さった状態で重ね合わされており、その一部が固着されている。
サイドフックタイプの場合には、袋体の上辺部分を切り開いて開封すると共に、上記したホルダーに設けられた係止片を引き起こし、カップの開口縁に係止させることで、カップに設置する。
サイドフックタイプの場合には、連続した長尺の包材シートに予めホルダーを固着させたものを利用し、製袋充填装置にかけて連続的に製袋充填でき、製造効率が良いことから、ホルダー付きの抽出用バッグとして広く利用されている。
【先行技術文献】
【特許文献】
【０００３】
【特許文献１】特開２００２−０１７５７４号公報
【発明の概要】
【発明が解決しようとする課題】
【０００４】
特許文献１に示す抽出用バッグは、サイドフックタイプの典型的なものであり、対向する一対のホルダーが設けられ、各ホルダーにはカップに係止させる係止片が二つずつ形成されている。カップには四点で支持されることになるため、湯を注いで重みが加わっても係止片自体はカップからは外れ難くなっている。しかしながら、湯を注ぐとその重みで袋体の開口が閉じる内側にどうしても倒れ易くなる。それに対応するために、係止片の上側に補強部が設けられているが、その効果は不十分である。
【０００５】
それ故、本発明は、サイドフックタイプの抽出用バッグに関して、上記した問題点を解消した、新規且つ有用なものを提供することを、その目的とする。
【課題を解決するための手段】
【０００６】
本発明は、上記目的を達成するためになされたものであり、請求項１の発明は、フィルター機能を有する包材シートにより構成された袋体と、前記袋体の両側面にそれぞれ被さって一部固着された一対の左右対称形のホルダーとを有し、前記袋体を開封すると共に前記ホルダーの一対の係止片を引き起こして使用するタイプの抽出用バッグにおいて、前記ホルダーは、左右に分離されて分離縁が対向した一対の係止片と、前記係止片と前記分離縁側で連続して支持し、前記袋体の上側に固着された上側支持部と、前記係止片と前記分離縁側で連続して支持し、前記袋体の下側で固着された下側支持部を備え、前記一対の係止片の左右の分離縁の下側は「ハ」の字状に傾斜した傾斜部分になっており、前記一対の係止片が引き起こされると、それぞれの分離縁が前記袋体に対向することを特徴とする抽出用バッグである。
【０００８】
請求項２の発明は、請求項１に記載した抽出用バッグにおいて、下側支持部が係止片側に延出して「ハ」の字状部分を埋めていることを特徴とする抽出用バッグである。
【０００９】
請求項３の発明は、フィルター機能を有する包材シートにより構成された袋体と、前記袋体の両側面にそれぞれ被さって一部固着された一対の左右対称形のホルダーとを有し、前記袋体を開封すると共に前記ホルダーの一対の係止片を引き起こして使用するタイプの抽出用バッグにおいて、前記ホルダーは、左右に分離されて分離縁が対向した一対の係止片と、前記係止片と前記分離縁側で連続して支持し、前記袋体の上側に固着された上側支持部と、前記係止片と前記分離縁側で連続して支持し、前記袋体の下側で固着された下側支持部を備え、前記上側支持部にも、上下方向途中まで、左右の分離縁が前記係止片の左右の分離縁と連続して形成されており、前記一対の係止片が引き起こされると、それぞれの分離縁が前記袋体に対向することを特徴とする抽出用バッグである。
【００１０】
請求項４の発明は、フィルター機能を有する包材シートにより構成された袋体と、前記袋体の両側面にそれぞれ被さって一部固着された一対の左右対称形のホルダーとを有し、前記袋体を開封すると共に前記ホルダーの一対の係止片を引き起こして使用するタイプの抽出用バッグにおいて、前記ホルダーは、左右に分離されて分離縁が対向した一対の係止片と、前記係止片と前記分離縁側で連続して支持し、前記袋体の上側に固着された上側支持部と、前記係止片と前記分離縁側で連続して支持し、前記袋体の下側で固着された下側支持部を備え、前記ホルダーの前記上側支持部には切込みにより前記上縁部側を連続部分とする引き起こしタイプのフラップが形成されており、前記一対の係止片が引き起こされると、それぞれの分離縁が前記袋体に対向することを特徴とする抽出用バッグである。
【発明の効果】
【００１１】
本発明の抽出用バッグによれば、カップに設置し、抽出作業を進行させたときに、袋体の開口を狭めずに、安定的に袋体を支持できる。
また、本発明の抽出用バッグは、サイドフックタイプなので、被充填物を充填しながら縦横シールする製袋充填装置を利用して製造できる。
【図面の簡単な説明】
【００１２】
【図１】本発明の実施の形態に係る抽出用バッグの側面図である。
【図２】図１の抽出用バッグの平袋体のシール辺を分離して展開した平面図である。
【図３】図１の抽出用バッグの平袋体を開封して開口が形成されていく過程を示す説明図である。
【図４】図３に続く、抽出用バッグの平袋体が立体形状になっていく過程を示す説明図である。
【図５】図４に続いて、抽出用バッグをカップに係止させた状態を示す斜視図である。
【図６】図５の状態を上側から見た説明図である。
【図７】図６における袋体の倒れ抑制機構の説明図である。
【図８】図１の抽出用バッグの製造に使用する連続した包材シートの平面図である。
【発明を実施するための形態】
【００１３】
本発明の実施の形態に係る抽出用バッグ１を図面にしたがって説明する。
図１に示すように、抽出用バッグ１は、平袋体３を備えている。平袋体３は、図２に示すように、濾紙や不織布等からなるフィルター機能を有する包材シート５で構成されている。この包材シート５は中央で二つ折りされており、この二つ折り辺７を介して矩形の両側面９、９に分かれている。この二つ折り辺７には細かいミシン目１１が形成されて易破断辺になっており、破断されると開口１３（図３）となる。重ね合った縁部分である三辺１５、１７、１９側が超音波シール等の手段でシール封止され、図１に示すように、扁平な平袋状に製袋化されており、シール辺１７を底辺とする上下方向側が若干長い長方形の袋体になっている。
平袋体３内にはコーヒー粉Ｐが充填されている。
【００１４】
抽出用バッグ１には、上記の平袋体３が開封されて立体状になった状態を支持しながらカップの開口縁に係止させるための一対のホルダー２１、２１が備えられている。
各ホルダー２１は、図２に示すように、一枚のホルダー紙２３を素材とし打ち抜きにより横長の長方形の下縁側にフラップ（後述）が延設された形状に成形されている。ホルダー２１の上縁は袋体３の上辺７と略揃えられている。従って、一対のホルダー２１、２１がミシン目１１（上辺７）を挟んで対向している。
ホルダー２１は、左右対称形になっており、一対の係止片２５Ａ、２５Ｂを備えている。
【００１５】
係止片２５Ａと係止片２５Ｂは左右に並んでおり、その境界がホルダー２１の左右方向の中心線になっている。
この中心線に重ねて、Ｉ字状の切込み２７が形成されている。このＩ字状切込み２７は上縁から下方に向かって１／２程度の長さまで延びている。符号２９は逆Ｖ字状の切込みを示し、「ハ」の字状の頂部が近づいて繋がった状態となっている。この逆Ｖ字状切込み２９の頂部が上記したＩ字状切込み２７の下端と繋がっている。逆Ｖ字状切込み２９の二つの下端３１Ａ、３１Ｂは係止片２５Ａ、２５Ｂのそれぞれの下縁までは至らず、それらより上方で途切れている。これらのＩ字状切込み２７と逆Ｖ字状切込み２９により、係止片２５Ａと係止片２５Ｂが下縁側を除いて左右に分離されて、係止片２５Ａ側の右分離縁３３Ａと、係止片２５Ｂ側の左分離縁３３Ｂが形成されている。
【００１６】
係止片２５Ａの左外方側には係止用逆凹部３５Ａが形成されており、左右中心線側の凹縁３７Ａは傾斜して下方に向かうほど左右方向の中心線に近づくようになっている。係止片２５Ｂ側も同様に係止用逆凹部３５Ｂが形成されており、凹縁３７Ｂも傾斜している。
係止用逆凹部３５Ａの左外方側を画定する部分と、係止用逆凹部３５Ｂの右外方側を画定する部分は、その他の部分より下方に延出しており、その延出部分の間には、横長帯状の抱持部３９の両端側が繋がっている。抱持部３９の下縁の左右方向の中心には、矩形の引き起こし用フラップ４１が連設されており、下方に延出している。
【００１７】
係止片２５Ａ、２５Ｂは、上記した形状で構成されており、下側に配置された抱持部３９との間には大きな凹状の隙間ができているが、その隙間を埋めるように、係止片２５Ａ、２５Ｂを下側から支持する下側支持部４３が分離用切込み４５を介して並べて配置されている。
分離用切込み４５は、上記した逆Ｖ字状切込み２９の直下部分では途切れており、その左右両側の端部４７Ａ、４７Ｂは、上記した逆Ｖ字状切込み２９の下端３１Ａ、３１Ｂとそれぞれ短い連続部分４９Ａ、４９Ｂ（すなわち、切込みが途切れた部分）を介して対向している。下側支持部４３は、逆Ｖ字状切込み２９内にも延出しており、係止片２５Ａ、２５Ｂの間に左右方向の中心線を跨いで入り込んでいる。
【００１８】
このように、下側支持部４３が係止片２５Ａ、２５Ｂおよび抱持部３９と切込みを介して上下に並べて配置されているが、係止片２５Ａ、２５Ｂを引き起こし易いように、傾斜した凹縁３７Ａ、３７Ｂとの間には三角形状に隙間部分５１Ａ、５１Ｂが残されている。
【００１９】
係止片２５Ａ、２５Ｂの上縁は水平になっており、その上側に、上側支持部５３が分離用切込み５５を介して並べて配置されている。但し、分離用切込み５５は左右方向の中心線側では途切れて短い連続部分５７Ａ、５７Ｂが形成されている。
また、係止片２５Ａ、２５Ｂ側のＩ字状切込み２７に連続して一直線状にＩ字状切込み５９が上方に延びている。
【００２０】
符号６１は破断用フラップを示し、この破断用フラップ６１は上側支持部５３に上端側から３／４円状に切込まれて形成されている。この分離用切込み６３の両端部は、上側支持部５３の上縁の近傍で途切れており、切り込まれた側の上側支持部５３とはその途切れた部分を介して繋がっている。
この分離用切込み６３の下方側に最も膨らんだ部分に上記したＩ字状切込み５９が連続している。
【００２１】
符号６５Ａ、６５Ｂは折り線を示し、上側支持部５３内を上下方向の直線状に延びている。折り線６５Ａ、６５Ｂは破断用フラップ６１を挟んで左右に配置されている。折り線６５Ａ、６５Ｂは外方に向かって山折りに形成されており、一対のホルダー２１、２１のそれぞれの折り線６５Ａ、６５Ｂが山折りされると、開口１３が円状に広がるようになっている。
【００２２】
斜線は接着剤が塗布された部分を示しており、ホルダー２１が接着剤を介して袋体３の側面９に固着されている。
下側支持部４３は全面的に固着されており、一対の係止片２５Ａ、２５Ｂとは逆Ｖ字状切込み２９の下側の連続部分４９Ａ、４９Ｂを介して連続して繋がっている。
また、上側支持部５３も大部分が固着されており、破断用フラップ６１とＩ字状切込み５９を挟んだ両縁部分だけが固着されていない。一対の係止片２５Ａ、２５ＢとはＩ字状切込み５９を挟んで形成された連続部分５７Ａ、５７Ｂを介して連続して繋がっている。
なお、上側支持部５３と下側支持部４３はある程度の大きさを有しており、固着された側面９を剛性的に補強する働きもする。
【００２３】
抽出用バッグ１は、上記したように構成されており、以下では、カップＣへの設置作業について説明する。
図３に示すように、一対の破断用フラップ６１、６１を上側支持部５３に対して曲げて起こした後に、それぞれの破断用フラップ６１を親指Ｆ１と人差し指Ｆ２との間に挟んで摘み、互いに外方に向かって引っ張ると、袋体３の上辺７のミシン目１１が破断されて開口し、開口１３が出来る。
そして、図４に示すように、今度は、引き起こし用フラップ４１を摘んで互いに外方に向かって引っ張ると、係止片２５Ａ、２５Ｂが引き起こされると共に、上側支持部５３が折り線６５Ａ、６５Ｂに沿って折り曲げられて、袋体３が大きく開口する。
【００２４】
この状態で、図５に示すように、係止片２５Ａ、２５Ｂのそれぞれの係止用逆凹部３５Ａ、３５Ｂを降ろして、カップＣの開口縁Ｃ１に係止させると共に、抱持部３９でカップＣの側部を外方から抱持させる。
一つの抽出用バッグ１に二つのホルダー２１、２１が設けられており、其々に一対の係止片２５Ａ、２５Ｂが備えられていることから四点支持構造になっており、しかも、各ホルダー２１の係止片２５Ａ、２５Ｂは左右方向の中心線の近傍を起点として引き起こされるので、図６に示すように、係止片２５Ａと係止片２５Ｂの間隔をあけてカップＣの外縁Ｃ１に係止することができる。
従って、袋体３は大きく拡げられた姿勢でカップＣに設置される。
【００２５】
図５の拡大図に示すように、係止片２５Ａ、２５Ｂを引き起こしたときには、起点となるそれぞれの分離縁３３Ａ、３３Ｂが互いに対向した状態から回動して袋体３の側面９に対して立ち上がる。上側支持部５３側にはＩ字状切込み５９が連続しているので、分離縁３３Ａ、３３Ｂは上側支持部５３に隣接する端部まで立ち上げることができている。また、分離縁３３Ａ、３３Ｂの下側では、逆Ｖ字状に傾斜しているので、係止片２５Ａと係止片２５Ｂを極端に近づけずとも、係止片２５Ａ、２５Ｂの分離縁３３Ａ、３３Ｂ（厳密に言えば、厚紙部分）が、袋体３の側面９に対向した状態となる。
【００２６】
湯を注ぐと、その重みで袋体３の側面９の中間部が外方に膨らもうとするので、係止片２５Ａ、２５Ｂが引き起こされて剥き出しとなった部分、特に左右方向の中心線近傍がその影響を受け易い。
しかしながら、係止片２５Ａ、２５Ｂの分離縁３３Ａ、３３Ｂが側面９を外側から押え付けるので膨らみが阻止される。図７の拡大図に示すように、係止片２５Ａと係止片２５Ｂとの間には、逆Ｖ字状切込み２９で形成された分離縁３３Ａ、３３Ｂどうしが離れてしまうため、そこで袋体３が剥き出しになると、僅かではあるが係止片２５Ａ、２５Ｂを倒す方向に力が掛かるが、そこには下側補強部４３が延出しているので、そのような力に対しても効果的に対抗できている。
【００２７】
膨らみが出ると、袋体３の開口１３側が内側に倒れて狭まるが、上記した構成により、袋体３の側面９に膨らみが出るのが阻止されるので、上側支持部５３の剛性的な補強機能も相俟って、開口１３側の内側への倒れが効果的に抑制され、開口１３が大きい状態で維持される。
【００２８】
抽出用バッグ１は、図８に示すように、一袋分の包材シート５を連続して長尺とした包材シート６７を利用して、従来から広く使用されているタイプの製袋充填装置にかけて、シールによる製袋化とその途中での被充填物の充填を組み合わせた装置にかけて製造できる。
【００２９】
この連続した包材シート６７は上下方向が長手方向になっており、一対のホルダー２１が上下方向に一定の間隔をおいて重ね合わされて、固着されている。一対のホルダー２１どうしの間は二つ折り予定部になっており、ミシン目１１が形成されている。また、左右両側の一点鎖線部分は縦シールアンドカット予定部６９になっている。また、上下方向の一点鎖線部分は横シールアンドカット予定部７１になっている。上下に隣り合う横シールアンドカット予定部７１、７１で区切られた部分が１つの平袋体３を形成する包材シート５になっている。一対のホルダー２１、２１が一袋分の包材シート５内に収まっている。
【００３０】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、ドリップコーヒー用の抽出用バッグを例示したが、紅茶やハーブティーなどの抽出用バッグとしても同様に実施することができる。
【産業上の利用可能性】
【００３１】
本発明の抽出用バッグは製袋充填装置にかけて被充填物を充填しながら製袋できる。
【符号の説明】
【００３２】
１…抽出用バッグ
３…袋体                              ５…包材シート
７…二つ折り辺                        ９…両側面
１１…ミシン目                        １３…開口
１５、１７、１９…シール辺            ２１…ホルダー
２３…ホルダー紙                      ２５Ａ、Ｂ…係止片
２７…Ｉ字状切込み                    ２９…逆Ｖ字状切込み
３１…（切込みの）下端                ３３Ａ、Ｂ…分離縁
３５Ａ、Ｂ…係止用逆凹部              ３７Ａ、Ｂ…凹縁
３９…抱持部                          ４１…引き起こし用フラップ
４３…下側支持部                      ４５…分離用切込み
４７…（切込みの）端部                ４９Ａ、Ｂ…連続部分
５１Ａ、Ｂ…隙間部分                  ５３…上側支持部
５５…分離用切込み                    ５７Ａ、Ｂ…連続部分
５９…Ｉ字状切込み                    ６１…破断用フラップ
６３…分離用切込み                    ６５Ａ、Ｂ…折り線
６７…連続した包材シート
６９…縦シールアンドカット予定部
７１…横シールアンドカット予定部
Ｐ…コーヒー粉
Ｃ…カップ                          Ｃ１…（カップの）開口縁
【図１】
0006530648.tif 000002
【図２】
0006530648.tif 000003
【図３】
0006530648.tif 000004
【図４】
0006530648.tif 000005
【図５】
0006530648.tif 000006
【図６】
0006530648.tif 000007
【図７】
0006530648.tif 000008
【図８】
0006530648.tif 000009